(57)【特許請求の範囲】
【請求項１】
第１被洗浄車両を洗車する第１洗車機本体と、第１被洗浄車両よりも大型の第２被洗浄車両を洗車する第２洗車機本体とを備え、第１被洗浄車両及び第２被洗浄車両が通る通路上の進行方向に第１洗車機本体及び第２洗車機本体を並設した洗車機であって、
第１洗車機本体が第１被洗浄車両の洗車開始時に配される第１開始位置と第１被洗浄車両を通過した第１終端位置との間を走行するとともに、第２洗車機本体が第２被洗浄車両の洗車開始時に第１開始位置の第１洗車機本体よりも前記通路の進入側に配される第２開始位置と第２被洗浄車両を通過した第２終端位置との間を走行し、第１被洗浄車両の洗車時に第２洗車機本体が第１終端位置の第１洗車機本体よりも前記通路の進入側の待機位置に配されることを特徴とする洗車機。
【請求項２】
第１終端位置の第１洗車機本体の入口面と前記待機位置の第２洗車機本体の出口面との間に前後方向に人体よりも広い空間が設けられることを特徴とする請求項１に記載の洗車機。
【請求項３】
第１被洗浄車両の洗車開始指示により第２洗車機本体が第２開始位置から前記待機位置に移動する際に、第２洗車機本体が第１終端位置の第１洗車機本体よりも前記通路の進入側であって第２開始位置と前記待機位置との間の回避位置を通過した際に、第１被洗浄車両の洗車を開始することを特徴とする請求項１に記載の洗車機。
【請求項４】
前記回避位置の第２洗車機本体が第１終端位置の第１洗車機本体よりも前記通路の進入側に配されることを特徴とする請求項３に記載の洗車機。
【請求項５】
前記待機位置が第２終端位置から成ることを特徴とする請求項１〜請求項４のいずれかに記載の洗車機。
【請求項６】
第１開始位置の第１洗車機本体の入口面と第２開始位置の第２洗車機本体の出口面との間に前後方向に人体よりも広い空間が設けられることを特徴とする請求項１〜請求項５のいずれかに記載の洗車機。
【請求項７】
第１被洗浄車両を洗車する第１洗車機本体と、第１被洗浄車両よりも大型の第２被洗浄車両を洗車する第２洗車機本体とを備え、第１被洗浄車両及び第２被洗浄車両が通る通路上の進行方向に第１洗車機本体及び第２洗車機本体を並設した洗車方法であって、
第１洗車機本体が第１被洗浄車両の洗車開始時に配される第１開始位置と第１被洗浄車両を通過した第１終端位置との間を走行するとともに、第２洗車機本体が第２被洗浄車両の洗車開始時に第１開始位置の第１洗車機本体よりも前記通路の進入側に配される第２開始位置と第２被洗浄車両を通過した第２終端位置との間を走行し、第１被洗浄車両の洗車時に第２洗車機本体が第１終端位置の第１洗車機本体よりも前記通路の進入側の待機位置に配されることを特徴とする洗車方法。
【発明の詳細な説明】
【技術分野】
【０００１】
本発明は、大きさの異なる被洗浄車両を洗車する複数の洗車機本体を備えた洗車機及び洗車方法に関する。
【背景技術】
【０００２】
給油所等に設置される従来の洗車機は特許文献１及び特許文献２に開示されている。特許文献１の洗車機は被洗浄車両に対して前後方向に移動する洗車機本体を備えている。洗車機本体は左右の対向する２つのスタンド部と、スタンド部の上端を連結する天井部とを有して被洗浄車両を跨いで門型に形成される。
【０００３】
洗車機本体には洗浄部、乾燥部が設けられている。洗浄部は被洗浄車両の側面や上面を洗浄する回転ブラシを備えている。乾燥部は空気を被洗浄車両の側面や上面に送風して被洗浄車両を乾燥させる送風ノズルを備えている。
【０００４】
特許文献２の洗車機は特許文献１の被洗浄車両よりも大型のバスやトラック等の被洗浄車両を洗車し、大型の被洗浄車両にして前後方向に移動させる洗車機本体を備えている。この洗車機本体は特許文献１の洗車機本体同様に門型に形成され、洗車機本体には洗浄部、乾燥部が設けられている。
【０００５】
特許文献１、２の洗車機において、洗車機本体が被洗浄車両に対して前後方向に移動し、洗浄部による洗浄に続き、乾燥部により空気を被洗浄車両に送風して被洗浄車両を乾燥させる。
【先行技術文献】
【特許文献】
【０００６】
【特許文献１】特開平０５−１１２２１１号公報
【特許文献２】特開２０１３−１１２０１９号公報
【発明の概要】
【発明が解決しようとする課題】
【０００７】
しかしながら、上記従来の洗車機によると、特許文献１の洗車機本体及び特許文献２の洗車機本体を同じ給油所内に設置すると、それぞれの洗車機本体の移動スペースが別々に必要になる。このため、洗車機の設置スペースが大きくなり、利便性が低下するという問題があった。
【０００８】
本発明は、洗車機の設置スペースを小さくして利便性を向上できる洗車機及び洗車方法を提供することを目的とする。
【課題を解決するための手段】
【０００９】
上記目的を達成するために本発明は、第１被洗浄車両を洗車する第１洗車機本体と、第１被洗浄車両よりも大型の第２被洗浄車両を洗車する第２洗車機本体とを備え、第１被洗浄車両及び第２被洗浄車両が通る通路上の進行方向に第１洗車機本体及び第２洗車機本体を並設した洗車機において、第１洗車機本体が第１被洗浄車両の洗車開始時に配される第１開始位置と第１被洗浄車両を通過した第１終端位置との間を走行するとともに、第２洗車機本体が第２被洗浄車両の洗車開始時に第１開始位置の第１洗車機本体よりも前記通路の進入側に配される第２開始位置と第２被洗浄車両を通過した第２終端位置との間を走行し、第１被洗浄車両の洗車時に第２洗車機本体が第１終端位置の第１洗車機本体よりも前記通路の進入側の待機位置に配されることを特徴とする。
【００１０】
また、本発明は上記構成の洗車機において、第１終端位置の第１洗車機本体の入口面と前記待機位置の第２洗車機本体の出口面との間に前後方向に人体よりも広い空間が設けられることを特徴とする。
【００１１】
また、本発明は上記構成の洗車機において、第１被洗浄車両の洗車開始指示により第２洗車機本体が第２開始位置から前記待機位置に移動する際に、第２洗車機本体が第１終端位置の第１洗車機本体よりも前記通路の進入側であって第２開始位置と前記待機位置との間の回避位置を通過した際に、第１被洗浄車両の洗車を開始することを特徴とする。
【００１２】
また、本発明は上記構成の洗車機において、前記回避位置の第２洗車機本体が第１終端位置の第１洗車機本体よりも前記通路の進入側に配されることを特徴とする。
【００１３】
また、本発明は上記構成の洗車機において、前記待機位置が第２終端位置から成ることを特徴とする。
【００１４】
また、本発明は上記構成の洗車機において、第１開始位置の第１洗車機本体の入口面と第２開始位置の第２洗車機本体の出口面との間に前後方向に人体よりも広い空間が設けられることを特徴とする。
【００１５】
また、本発明は上記構成の洗車機において、第２洗車機本体を前記待機位置に移動させることを指示する第１操作スイッチと、第２洗車機本体を第２開始位置に移動させることを指示する第２操作スイッチを備えたことを特徴とする。
【００１６】
上記目的を達成するために本発明は、第１被洗浄車両を洗車する第１洗車機本体と、第１被洗浄車両よりも大型の第２被洗浄車両を洗車する第２洗車機本体とを備え、第１被洗浄車両及び第２被洗浄車両が通る通路上の進行方向に第１洗車機本体及び第２洗車機本体を並設した洗車方法であって、第１洗車機本体が第１被洗浄車両の洗車開始時に配される第１開始位置と第１被洗浄車両を通過した第１終端位置との間を走行するとともに、第２洗車機本体が第２被洗浄車両の洗車開始時に第１開始位置の第１洗車機本体よりも前記通路の進入側に配される第２開始位置と第２被洗浄車両を通過した第２終端位置との間を走行し、第１被洗浄車両の洗車時に第２洗車機本体が第１終端位置の第１洗車機本体よりも前記通路の進入側の待機位置に配されることを特徴とする。
【発明の効果】
【００１７】
本発明によると、第１洗車機本体が第１開始位置と第１終端位置との間を走行する。また、第２洗車機本体が第１開始位置の第１洗車機本体よりも通路の進入側に配される第２開始位置と第２終端位置との間を走行する。そして、第１被洗浄車両の洗車時に第２洗車機本体が第１終端位置の第１洗車機本体よりも通路の進入側の待機位置に配される。これにより、設置スペースを小さくして利便性を向上できる洗車機及び洗車方法を提供することができる。
【図面の簡単な説明】
【００１８】
【図１】本発明の実施形態の洗車機を示す側面図
【図２】本発明の実施形態の洗車機を示す上面図
【図３】本発明の実施形態の洗車機の第１洗車機本体を示す側面図
【図４】本発明の実施形態の洗車機の第１洗車機本体を示す正面図
【図５】本発明の実施形態の洗車機の第２洗車機本体による洗車時の動作を示す上面図
【図６】本発明の実施形態の洗車機の第２洗車機本体による洗車時の動作を示す上面図
【図７】本発明の実施形態の洗車機の第１洗車機本体による洗車時の動作を示す上面図
【図８】本発明の実施形態の洗車機の第１洗車機本体による洗車時の動作を示す上面図
【図９】本発明の実施形態の洗車機の第１洗車機本体による洗車時の動作を示す上面図
【図１０】本発明の実施形態の洗車機の第１洗車機本体による洗車時の他の動作を示す上面図
【発明を実施するための形態】
【００１９】
以下に図面を参照して本発明の実施形態を説明する。図１、図２は本発明の一実施形態の洗車機ＷＡを示す側面図及び上面図である。洗車機ＷＡは乗用車等の被洗浄車両ＣＡ１を洗車する第１洗車機本体１と、被洗浄車両ＣＡ１よりも大型のバスやトラック等の被洗浄車両ＣＡ２を洗車する第２洗車機本体１０１とを備えている。
【００２０】
第１洗車機本体１及び第２洗車機本体１０１は被洗浄車両ＣＡ１及び被洗浄車両ＣＡ２が通る一の通路Ｒ上の進行方向に並設される。地面Ｇには通路Ｒに沿って第１洗車機本体１が走行する一対のレール２が敷設され、レール２の両外側に第２洗車機本体１０１が走行する一対のレール１０２が敷設される。
【００２１】
第２洗車機本体１０１は第１洗車機本体１よりも通路Ｒの進入側に配置される。詳細を後述するように、第１洗車機本体１は被洗浄車両ＣＡ１の洗車開始時に配される開始位置Ａ１（第１開始位置）と被洗浄車両ＣＡ１を通過した終端位置Ａ２（第１終端位置）との間を走行する。被洗浄車両ＣＡ１の洗車が終了すると、第１洗車機本体１は開始位置Ａ１に配置される。
【００２２】
また、第２洗車機本体１０１は被洗浄車両ＣＡ２の洗車開始時に配される開始位置Ｂ１（第２開始位置）と被洗浄車両ＣＡ２を通過した終端位置Ｂ４（第２終端位置）との間を走行する。被洗浄車両ＣＡ２の洗車が終了すると、第２洗車機本体１０１は開始位置Ｂ１に配置される。
【００２３】
通路Ｒを前進して所定位置に停止する第１被洗浄車両ＣＡ１は移動する第１洗車機本体１内に通路Ｒの進入側の入口面１ａから入り、入口面１ａに対向する出口面１ｂから出て洗車が行われる。同様に、通路Ｒを前進して所定位置に停止する第２被洗浄車両ＣＡ２は移動する第２洗車機本体１０１内に通路Ｒの進入側の入口面１０１ａから入り、入口面１０１ａに対向する出口面１０１ｂから出て洗車が行われる。洗車が終了すると第１被洗浄車両ＣＡ１及び第２被洗浄車両ＣＡ２は通路Ｒを後退して退出する。
【００２４】
また、通路Ｒにはセンサ４５及びセンサ４６が設けられる。センサ４５は第１洗車機本体１が開始位置Ａ１に配されたことを検知する。センサ４６は第２洗車機本体１０１が後述する回避位置Ｂ２に配されたことを検知する。
【００２５】
図３、図４は第１洗車機本体１を示す側面図及び正面図である。第１洗車機本体１は左右に対向する２つのスタンド部９０と、スタンド部９０の上端を連結する天井部９１とを有した門型に形成される。スタンド部９０の底面にはレール２上に配される車輪３が設けられる。
【００２６】
スタンド部９０には洗剤やワックス等の各種液剤を貯液した複数の貯液タンク（不図示）を収納するタンク収納部３０が配される。タンク収納部３０の上方には各貯液タンクからの液剤を分配する分配配管部３１が設けられる。分配配管部３１には噴射ノズルからなる第１、第２浄水ノズル１１、１３、第１、第２洗剤ノズル１２、１５、撥水コートノズル１４、ワックスノズル１６がそれぞれ電磁弁（不図示）を介して導出される。
【００２７】
第１、第２浄水ノズル１１、１３は第１洗車機本体１の手前側及び奥側にそれぞれ配され、被洗浄車両ＣＡ１に対して市水を噴射する。第１、第２洗剤ノズル１２、１５は第１洗車機本体１の手前側及び奥側にそれぞれ配され、被洗浄車両ＣＡ１に対して洗剤を噴射する。撥水コートノズル１４及びワックスノズル１６は第１洗車機本体１の奥側に配される。撥水コートノズル１４は被洗浄車両ＣＡ１に対して撥水コート剤を噴射する。ワックスノズル１６は被洗浄車両ＣＡ１に対して液体のワックスを噴射する。
【００２８】
第１洗車機本体１の入口面１ａの一方のスタンド部９０上には操作パネル７が配される。操作パネル７には複数の操作スイッチ（不図示）が設けられている。操作スイッチにより、シャンプー、ワックス掛け、撥水コート等に使用する液剤を用いた洗車条件を設定することができる。また、フロントガード有り、フェンダーポール有り、サイドミラー有り、リヤワイパ有り、ルーフキャリア有り等の装備品の設定もすることができる。
【００２９】
第１洗車機本体１には被洗浄車両ＣＡ１上に摺動してブラッシングするトップブラシ４、サイドブラシ５及びロッカーブラシ６から成る複数の回転ブラシが設けられる。トップブラシ４は天井部９１に設けられ、被洗浄車両ＣＡ１の上面に沿って移動して被洗浄車両ＣＡ１の上面を洗浄する。サイドブラシ５はスタンド部９０の前後方向の中央部に配され、被洗浄車両ＣＡ１の側面及び後面を洗浄する。ロッカーブラシ６は左右のスタンド部９０の下部に設けられ、被洗浄車両ＣＡ１の両側面の下部を洗浄する。
【００３０】
第１洗車機本体１の上部には気流を発生して被洗浄車両ＣＡ１を乾燥させるブロア２０が設けられる。ブロア２０にはサイド送風ノズル２２及びトップ送風ノズル２１が接続される。サイド送風ノズル２２は各スタンド部９０の後部にそれぞれ設けられ、被洗浄車両ＣＡ１の側面に向けて送風する。トップ送風ノズル２１は天井部９１の後部に設けられ、被洗浄車両ＣＡ１の上面に向けて送風する。
【００３１】
第２洗車機本体１０１は第１洗車機本体１と同様に、左右一対のスタンド部１９０（図４参照）の上端を天井部１９１（図４参照）により連結した門型に形成される。第２洗車機本体１０１には第１洗車機本体１と同様の複数の噴射ノズル、回転ブラシ及び送風ノズル（いずれも不図示）が設けられる。なお、図４に示すように第２洗車機本体１０１のスタンド部１９０と第１洗車機本体１のスタンド部９０とは正面視において重なるように配置されている。
【００３２】
第２洗車機本体１０１の入口面１０１ａの一方のスタンド部１９０上には操作パネル１０７が配される。操作パネル１０７には操作パネル７と同様の複数の操作スイッチに加えて、操作スイッチ１０７ａ、１０７ｂが設けられる。操作スイッチ１０７ａの操作により第２洗車機本体１０１は後述する待機位置Ｂ３に移動する。操作スイッチ１０７ｂの操作により第２洗車機本体１０１は開始位置Ｂ１に移動する。
【００３３】
上記構成の洗車機ＷＡにおいて、第２洗車機本体１０１によって被洗浄車両ＣＡ２が洗浄される動作について説明する。図５、図６は第２洗車機本体１０１による洗車時の動作を説明する洗車機ＷＡの上面図である。図５に示すように、第１洗車機本体１が開始位置Ａ１に配置されて第２洗車機本体１０１は開始位置Ｂ１に配置された状態で、被洗浄車両ＣＡ２は通路Ｒを前進して所定の洗車位置に停止する。
【００３４】
第１洗車機本体１により前回の洗車が行われていた場合は、後述するように第２洗車機本体１０１が開始位置Ｂ１と終端位置Ｂ４との間の待機位置Ｂ３に配置されている。このため、操作パネル１０７の操作スイッチ１０７ｂの操作によって第２洗車機本体１０１が開始位置Ｂ１に移動する。
【００３５】
この時、センサ４５により第１洗車機本体１が開始位置Ａ１に配置されたことを検知した後に第２洗車機本体１０１が移動する。これにより、第１洗車機本体１と第２洗車機本体１０１との衝突を防止することができる。
【００３６】
開始位置Ａ１の第１洗車機本体１の入口面１ａと開始位置Ｂ１の第２洗車機本体１０１の出口面１０１ｂとの間には前後方向に人体よりも広い空間Ｌ１が設けられている。このため、開始位置Ｂ１に移動する第２洗車機本体１０１と第１洗車機本体１との間にスタッフ等が挟まれることを防止できる。
【００３７】
洗車位置に被洗浄車両ＣＡ２が配されると、操作パネル１０７の操作により洗車条件を設定して洗車開始が指示される。洗車開始が指示されると第２洗車機本体１０１が矢印Ｄ１に示すように被洗浄車両ＣＡ２の後方に向かって移動する。これにより、各噴射ノズルから洗浄液を噴射して各回転ブラシにより被洗浄車両ＣＡ２を洗浄し、各送風ノズルにより被洗浄車両ＣＡ２を乾燥して洗車が行われる。
【００３８】
図６に示すように第２洗車機本体１０１が終端位置Ｂ４に到達すると洗車が終了し、被洗浄車両ＣＡ２は通路Ｒを後退して退出する。被洗浄車両ＣＡ２が退出すると、第２洗車機本体１０１は矢印Ｄ２に示すように反転移動して開始位置Ｂ１に復帰する。第２洗車機本体１０１が開始位置Ｂ１に配置されているため、続いて被洗浄車両ＣＡ２を洗車することができる。
【００３９】
次に、第１洗車機本体１によって被洗浄車両ＣＡ１が洗浄される動作について説明する。図７〜図９は第１洗車機本体１による洗車時の動作を説明する洗車機ＷＡの上面図である。第２洗車機本体１０１により前回の洗車が行われていた場合は、図７に示すように第１、第２洗車機本体１、１０１がそれぞれ開始位置Ａ１、Ｂ１に配置される。
【００４０】
この状態で被洗浄車両ＣＡ１は通路Ｒを前進し、第２洗車機本体内を通って所定の洗車位置に停止する。洗車位置に被洗浄車両ＣＡ１が配されると、操作パネル７の操作により洗車条件を設定して洗車開始が指示される。この時、第１洗車機本体１の入口面１ａと第２洗車機本体１０１の出口面１０１ｂとの間に前後方向に人体よりも広い空間Ｌ１が設けられるため、操作パネル７を容易に操作できる。
【００４１】
洗車開始が指示されると、第２洗車機本体１０１が矢印Ｄ１に示すように被洗浄車両ＣＡ１の後方に向かって移動し、図８に示すように待機位置Ｂ３に配置される。待機位置Ｂ３の第２洗車機本体１０１は終端位置Ａ２の第１洗車機本体１よりも通路Ｒの進入側になっている。
【００４２】
この時、第２洗車機本体１０１が開始位置Ｂ１と待機位置Ｂ３との間の回避位置Ｂ２を通過するとセンサ４６により検知され、第１洗車機本体１が矢印Ｅ１に示すように被洗浄車両ＣＡ１の後方に向かって移動する。これにより、各噴射ノズルから洗浄液を噴射して各回転ブラシにより被洗浄車両ＣＡ１を洗浄し、各送風ノズルにより被洗浄車両ＣＡ１を乾燥して洗車が行われる。
【００４３】
回避位置Ｂ２の第２洗車機本体１０１は終端位置Ａ２の第１洗車機本体１よりも通路Ｒの進入側になっている。これにより、第１洗車機本体１と第２洗車機本体１０１との衝突を防止し、被洗浄車両ＣＡ１の洗車を待機位置Ｂ３に到達後よりも早期に開始できる。
【００４４】
尚、操作パネル７の操作による洗車開始指示の前に、操作スイッチ１０７ａの操作によって第２洗車機本体１０１を待機位置Ｂ３に配置してもよい。
【００４５】
図９に示すように第１洗車機本体１が終端位置Ａ２に到達すると洗車が終了し、被洗浄車両ＣＡ１は通路Ｒを後退して退出する。被洗浄車両ＣＡ１が退出すると、第１洗車機本体１は矢印Ｅ２に示すように反転移動して開始位置Ａ１に復帰する。第２洗車機本体１０１が待機位置Ｂ３に配置されているため、続いて被洗浄車両ＣＡ１を洗車することができる。
【００４６】
本実施形態において、図１０に示すように、第２洗車機本体１０１の待機位置Ｂ３を終端位置Ａ２の第１洗車機本体１に接近した位置にしてもよい。この時、終端位置Ａ２の第１洗車機本体１の入口面１ａと待機位置Ｂ３（回避位置Ｂ２）の第２洗車機本体１０１の出口面１０１ｂとの間には前後方向に人体よりも広い空間Ｌ２が設けられる。このため、終端位置Ａ２に移動する第１洗車機本体１と第２洗車機本体１０１との間にスタッフ等が挟まれることを防止できる。尚、第２洗車機本体１０１の待機位置Ｂ３が終端位置Ａ２の第１洗車機本体１に接近する場合は、待機位置Ｂ３到達後に被洗浄車両ＣＡ１の洗車を開始してもよい。
【００４７】
また、被洗浄車両ＣＡ１の洗車頻度が高い場合に、第２洗車機本体１０１の待機位置Ｂ３と終端位置Ｂ４とを同じ位置にしてもよい。これにより、大型の被洗浄車両ＣＡ２の洗車終了時に終端位置Ｂ４に配される第２洗車機本体１０１を開始位置Ｂ１に復帰させずに次回の被洗浄車両ＣＡ１を洗車できる。従って、第２洗車機本体１０１の復帰時間を省くことができる。
【００４８】
本実施形態によると、第１洗車機本体１が開始位置Ａ１（第１開始位置）と終端位置Ａ２（第１終端位置）との間を走行する。また、第２洗車機本体１０１が開始位置Ａ１の第１洗車機本体１よりも通路Ｒの進入側の開始位置Ｂ１（第２開始位置）と終端位置Ｂ４（第２終端位置）との間を走行する。そして、被洗浄車両ＣＡ１の洗車時に第２洗車機本体１０１が終端位置Ａ２の第１洗車機本体１よりも通路Ｒの進入側の待機位置Ｂ３に配される。これにより、洗車機ＷＡの設置スペースを小さくして利便性を向上できる洗車機ＷＡ及び洗車方法を提供することができる。
【００４９】
また、終端位置Ａ２の第１洗車機本体１の入口面１ａと待機位置Ｂ３の第２洗車機本体１０１の出口面１０１ｂとの間に前後方向に人体よりも広い空間Ｌ２が設けられる。これにより、第１洗車機本体１により被洗浄車両ＣＡ１を洗浄する際に、第１洗車機本体１と第２洗車機本体１０１との間にスタッフ等が挟まれることを防止できる。
【００５０】
また、第２洗車機本体１０１が回避位置Ｂ２を通過した際に被洗浄車両ＣＡ１の洗車を開始するため、早期に洗車を開始することができる。
【００５１】
また、回避位置Ｂ２の第２洗車機本体１０１が終端位置Ａ２の第１洗車機本体１よりも通路Ｒの進入側に配されるため、第１洗車機本体１と第２洗車機本体１０１との衝突を防止することができる。
【００５２】
また、第２洗車機本体１０１の待機位置Ｂ３が終端位置Ｂ４から成ると、被洗浄車両ＣＡ１の洗車頻度が高い場合に第２洗車機本体１０１が被洗浄車両ＣＡ２を洗車して終端位置Ｂ４に配された状態で次回の被洗浄車両ＣＡ１を洗車できる。従って、第２洗車機本体１０１の開始位置Ｂ１への復帰時間を省くことができる。
【００５３】
また、開始位置Ａ１の第１洗車機本体１の入口面１ａと開始位置Ｂ１の第２洗車機本体１０１の出口面１０１ｂとの間に前後方向に人体よりも広い空間Ｌ１が設けられる。このため、第２洗車機本体１により被洗浄車両ＣＡ２を洗浄する際に、第１洗車機本体１と第２洗車機本体１０１との間にスタッフ等が挟まれることを防止できる。また、被洗浄車両ＣＡ１を洗浄する際に、第１洗車機本体１の入口面１ａに配した操作パネル７を操作できる。
【００５４】
また、第２洗車機本体１０１を待機位置Ｂ３に移動させることを指示する操作スイッチ１０７ａ（第１操作スイッチ）を設けたので、被洗浄車両ＣＡ１の洗車時に第２洗車機本体１０１を容易に退避させることができる。
【００５５】
また、第２洗車機本体１０１を開始位置Ｂ１に移動させることを指示する操作スイッチ１０７ｂ（第２操作スイッチ）を設けたので、被洗浄車両ＣＡ２の洗車時に第２洗車機本体１０１を容易に開始位置Ｂ１に配置することができる。
【産業上の利用可能性】
【００５６】
本発明によると、大きさの異なる被洗浄車両を洗車する複数の洗車機本体を備えた洗車機及び洗車方法に利用することができる。
【符号の説明】
【００５７】
１    第１洗車機本体
１ａ、１０１ａ  入口面
１ｂ、１０１ｂ  出口面
２、１０２  レール
３    車輪
４    トップブラシ
５    サイドブラシ
６    ロッカーブラシ
７、１０７  操作パネル
８    トップブラシ
２０    ブロア
２１    トップ送風ノズル
２２    サイド送風ノズル
４５、４６    センサ
９０    スタンド部
９１    天井部
１０１    第２洗車機本体
１０７ａ  操作スイッチ（第１操作スイッチ）
１０７ｂ  操作スイッチ（第２操作スイッチ）
Ａ１    開始位置（第１開始位置）
Ａ２    終端位置（第１終端位置）
Ｂ１    開始位置（第２開始位置）
Ｂ２    回避位置
Ｂ３    待機位置
Ｂ４    終端位置（第２終端位置）
ＣＡ１    被洗浄車両（第１被洗浄車両）
ＣＡ２    被洗浄車両（第２被洗浄車両）
Ｒ    通路
ＷＡ    洗車機
【図１】
0006493122.tif 000002
【図２】
0006493122.tif 000003
【図３】
0006493122.tif 000004
【図４】
0006493122.tif 000005
【図５】
0006493122.tif 000006
【図６】
0006493122.tif 000007
【図７】
0006493122.tif 000008
【図８】
0006493122.tif 000009
【図９】
0006493122.tif 000010
【図１０】
0006493122.tif 000011